(57)【要約】【課題】アコースティックバスドラムにより近い叩打感および演奏感を得ることができる電子バスドラムを提供する。【解決手段】電子バスドラム１００は、ビーター１２５によって叩かれるヘッド１０１を備えている。ヘッド１０１は、ヘッド枠１０２を介してフープ１０７によってシェル１０３の端部に押し付けられている。フープ１０７は、ヘッド連結具１０８がスタンド１２０の連結具貫通部１２１ａを貫通した状態でシェル１０３のラグに捩じ込まれることでシェル１０３に取り付けられている。フープ１０７とスタンド１２０との間におけるヘッド連結具１０８には、ダンパー部材１１０が設けられている。ダンパー部材１１０は、ゴム材を円筒状に形成して構成されており、ヘッド１０１をビーター１２５の叩打方向に往復変位可能な状態で弾性的に支持している。【選択図】  図４
2019128372.tif 000002
【特許請求の範囲】
【請求項１】
ペダル操作で揺動するビーターによって叩かれる打面を構成するヘッドと、
前記ヘッドの叩打を検出するための叩打センサと、
前記ヘッドを床面上で起立した状態で支持するスタンドと、
前記ヘッドと前記スタンドとの間に設けられて前記ビーターで叩かれた前記ヘッドの全体を前記スタンドに対して前記ビーターによる叩打方向に変位するように支持するダンパー部材とを備えたことを特徴とする電子バスドラム。
【請求項２】
請求項１に記載した電子バスドラムにおいて、さらに、
筒状体で構成されて同筒状体の一方の端部側に前記ヘッドが配置されるシェルと、
前記ヘッドを前記シェルまたは前記スタンドに連結するためのヘッド連結具とを備え、
前記ダンパー部材は、
前記ヘッド連結具が貫通する筒状に形成されて前記ヘッドと前記スタンドとの間に設けられていることを特徴とする電子バスドラム。
【請求項３】
請求項２に記載した電子バスドラムにおいて、さらに、
環状に形成されて前記シェルの前記一方の端部に前記ヘッドを押し付けるためのフープを備え、
前記スタンドは、
前記ヘッド連結具が貫通する連結具貫通部を有し、
前記ヘッド連結具は、
前記スタンドの前記連結具貫通部を貫通して前記シェルに締め付けられており、
前記ダンパー部材は、
前記フープと前記連結具貫通部との間に設けられていることを特徴とする電子バスドラム。
【請求項４】
請求項３に記載した電子バスドラムにおいて、
前記ダンパー部材は、
前記連結具貫通部を貫通して前記シェルとの間に隙間が形成されるように配置されていることを特徴とする電子バスドラム。
【請求項５】
請求項２ないし請求項４のうちのいずれか１つに記載した電子バスドラムにおいて、
前記ダンパー部材は、
一方の端部から他方の端部に亘って中実の筒状に形成されて内周面の全面が前記ヘッド連結具の外周面に接触していることを特徴とする電子バスドラム。
【請求項６】
請求項１ないし請求項５のうちのいずれか１つに記載した電子バスドラムにおいて、さらに、
前記ヘッドと前記叩打センサとの間に、前記ヘッドの振動の一部を吸収しつつ他の一部を前記叩打センサに伝達するクッション体を備えることを特徴とする電子バスドラム。
【発明の詳細な説明】
【技術分野】
【０００１】
本発明は、演奏者によるペダル操作によって揺動するビーターで打面を叩くことにより打面の振動を電気的に検出して発音する電子バスドラムに関する。
【背景技術】
【０００２】
従来から、演奏者によるペダル操作によって揺動するビーターで打面を叩くことにより打面の振動を電気的に検出して発音する電子バスドラムがある。例えば、下記特許文献１には、ビーターである打撃体５に叩打される打楽器部材２０が床面から立ち上る支持部材１０に対して第１防振部材３０を介して弾性的に支持された電子バスドラムとしての打楽器支持構造体が開示されている。
【先行技術文献】
【特許文献】
【０００３】
【特許文献１】特開２０１２−２３７９６７号公報
【０００４】
しかしながら、上記特許文献１に記載された電子バスドラムにおいては、アコースティックバスドラムに対してヘッドの大きさが小さく形成されることが多いため、ビーターによって叩打した際の叩打感が硬いとともに反力も大きいことに加えて叩打時の衝撃による振動の減衰が遅く、アコースティックバスドラムの叩打感および演奏感が十分に得られないという問題があった。
【０００５】
本発明は上記問題に対処するためなされたもので、その目的は、アコースティックバスドラムにより近い叩打感および演奏感を得ることができる電子バスドラムを提供することにある。
【発明の概要】
【０００６】
上記目的を達成するため、本発明の特徴は、ペダル操作で揺動するビーターによって叩かれる打面を構成するヘッドと、ヘッドの叩打を検出するための叩打センサと、ヘッドを床面上で起立した状態で支持するスタンドと、ヘッドとスタンドとの間に設けられてビーターで叩かれたヘッドの全体をスタンドに対してビーターによる叩打方向に変位するように支持するダンパー部材とを備えたことにある。
【０００７】
このように構成した本発明の特徴によれば、電子バスドラムは、ヘッドとスタンドとの間にヘッド全体をビーターによる叩打方向に変位させるダンパー部材を備えているため、ヘッドがビーターの叩打によって叩打方向の前方に向かって変位することで叩打感の硬さおよび演奏者への反力を抑えるとともに叩打時の衝撃による振動を早期に減衰させることができ、アコースティックバスドラムの叩打感および演奏感に近づけることができる。
【０００８】
また、本発明の他の特徴は、前記電子バスドラムにおいて、さらに、筒状体で構成されて同筒状体の一方の端部側にヘッドが配置されるシェルと、ヘッドをシェルまたはスタンドに連結するためのヘッド連結具とを備え、ダンパー部材は、ヘッド連結具が貫通する筒状に形成されてヘッドとスタンドとの間に設けられていることにある。
【０００９】
このように構成した本発明の他の特徴によれば、電子バスドラムは、ダンパー部材がヘッド連結具を貫通する筒状に形成されてヘッドとスタンドとの間に設けられているため、ダンパー部材をヘッド連結具の外周部に効率的に配置して電子バスドラムの構成を大型化することなくヘッドをビーターによる叩打方向の前方に向かって弾性的に変位させることができる。
【００１０】
また、本発明の他の特徴は、前記電子バスドラムにおいて、さらに、環状に形成されてシェルの前記一方の端部にヘッドを押し付けるためのフープを備え、スタンドは、ヘッド連結具が貫通する連結具貫通部を有し、ヘッド連結具は、スタンドの連結具貫通部を貫通してシェルに締め付けられており、ダンパー部材は、フープと連結具貫通部との間に設けられていることにある。
【００１１】
このように構成した本発明の他の特徴によれば、電子バスドラムは、ダンパー部材がフープとスタンドにおける連結具貫通部との間に設けられているため、電子バスドラムが設置される床面の振動およびビーターの操作による振動がスタンドおよびヘッド連結具をそれぞれ介してヘッドに伝達されることを抑えて叩打センサによるヘッドの検出精度を向上させることができる。この場合、ダンパー部材は、連結具貫通部の周囲に突き当てた状態で設けてもよいし、連結具貫通部を貫通した状態で設けてもよい。
【００１２】
また、本発明の他の特徴は、前記電子バスドラムにおいて、ダンパー部材は、連結具貫通部を貫通してシェルとの間に隙間が形成されるように配置されていることにある。
【００１３】
このように構成した本発明の他の特徴によれば、電子バスドラムは、ダンパー部材が連結具貫通部を貫通してシェルとの間に隙間が形成されるように配置されているため、ダンパー部材を連結部貫通部に貫通させて保持させることでダンパー部材およびヘッド連結具の組み付けの作業性を良好にすることができるとともに、ヘッド連結具をシェルに連結する際にダンパー部材を圧縮変形させて弾性力の変化および損傷させることを防止することができる。
【００１４】
また、本発明の他の特徴は、前記電子バスドラムにおいて、ダンパー部材は、一方の端部から他方の端部に亘って中実の筒状に形成されて内周面の全面がヘッド連結具の外周面に接触していることにある。
【００１５】
このように構成した本発明の他の特徴によれば、電子バスドラムは、ダンパー部材が一方の端部から他方の端部に亘って中実の筒状に形成されて内周面の全面がヘッド連結具の外周面に接触しているため、ヘッド連結具を介してヘッドを安定的に支持することができるとともにダンパー部材が種々の形状に変形すること規制して安定的な弾性の発揮および耐久性を向上させることができる。
【００１６】
また、本発明の他の特徴は、前記電子バスドラムにおいて、さらに、ヘッドと叩打センサとの間に、ヘッドの振動の一部を吸収しつつ他の一部を叩打センサに伝達するクッション体を備えることにある。
【００１７】
このように構成した本発明の他の特徴によれば、電子バスドラムは、ヘッドと叩打センサとの間にヘッドの振動の一部を吸収するクッション体を備えているため、スタンドに対してヘッドが変位する際における振動が叩打センサに伝搬することを抑えることができ、ヘッドの変位時における叩打センサによるヘッドの叩打の検出精度の低下を抑えて叩打の検出精度を向上させることができる。
【図面の簡単な説明】
【００１８】
【図１】本発明の一実施形態に係る電子バスドラムの外観構成の概略を背面側から示した斜視図である。
【図２】図１に示した電子バスドラムにおいてヘッドを省略して示した斜視図である。
【図３】図１に示す電子バスドラムの外観構成の概略を前面側から示した斜視図である。
【図４】図１に示す電子バスドラムの内部構成の概略を示す横断面図である。
【図５】図１に示す電子バスドラムの内部構成の概略を示す縦断面図である。
【図６】図４に示す電子バスドラムにおいて、ヘッドを叩打した際にヘッドが叩打方向の前方側に変位した状態を示す横断面図である。
【図７】本発明の変形例に係る電子バスドラムの要部の内部構成の概略を示す部分断面図である。
【図８】本発明の他の変形例に係る電子バスドラムの要部の内部構成の概略を示す部分断面図である。
【図９】本発明の他の変形例に係る電子バスドラムの要部の内部構成の概略を示す部分断面図である。
【図１０】本発明の他の変形例に係る電子バスドラムの要部の内部構成の概略を示す部分断面図である。
【図１１】本発明の他の変形例に係る電子バスドラムの要部の内部構成の概略を示す部分断面図である。
【発明を実施するための形態】
【００１９】
以下、本発明に係る電子バスドラムの一実施形態について図面を参照しながら説明する。図１は、本発明に係る電子バスドラム１００の外観構成の概略を背面側から示した斜視図である。また、図２は、図１に示した電子バスドラム１００においてヘッド１０１を省略して示した斜視図である。また、図３は、図１に示す電子バスドラム１００の外観構成の概略を前面側から示した斜視図である。また、図４は、図１に示す電子バスドラム１００の内部構成の概略を示す横断面図である。また、図５は、図１に示す電子バスドラム１００の内部構成の概略を示す縦断面図である。この電子バスドラム１００は、演奏者（図示せず）によるペダル操作によってビーター１２５がヘッド１０１の打面１０１ａを叩打した際の振動を検出して電子的な楽音を発生させる電子打楽器である。
【００２０】
（電子バスドラム１００の構成）
電子バスドラム１００は、ヘッド１０１を備えている。ヘッド１０１は、演奏者によって操作される後述するビーター１２５によって叩かれることで振動および弾性変形する部品であり、布材または樹脂材をシート状または薄板状に形成して構成されている。具体的には、ヘッド１０１は、透明または半透明の樹脂製のシート材または薄板材、またはメッシュ状に形成した布材または樹脂材で構成されている。本実施形態においては、ヘッド１０１は、メッシュ状のシート体を平面視で円形に形成して構成されている。このヘッド１０１は、外縁部がヘッド枠１０２によって保持されている。
【００２１】
ヘッド枠１０２は、ヘッド１０１を円筒状に形成されたシェル１０３の端部にテンションを張った状態で配置するために部品であり、金属材または樹脂材を環状に形成して構成されている。このヘッド枠１０２は、ヘッド１０１の外縁部を保持した状態でシェル１０３における一方の端部の外周部に嵌合しており、同端部側からフープ１０７によって押さえられている。これにより、ヘッド１０１は、シェル１０３の外側に露出する面が打面１０１ａを構成するとともにシェル１０３の内側に面する面が裏面１０１ｂを構成する。
【００２２】
シェル１０３は、ヘッド１０１、緩衝体１１１および叩打センサ１１２をそれぞれ支持する部品であり、金属材、樹脂材または木材を円筒状に形成して構成されている。本実施形態においては、シェル１０３は、樹脂材で構成されている。このシェル１０３は、ビーター１２５が対向する一方（図示左側）の端部側の開口部がヘッド１０１によって閉塞されているとともに、電子バスドラム１００の前面側となる他方（図示右側）の端部側の内周部に内側支持部１０３ａが形成されている。また、シェル１０３の外周部には、ラグ１０６が形成されている。
【００２３】
内側支持部１０３ａは、緩衝体１１１、叩打センサ１１２およびセンターカバー１０５をそれぞれ支持する部分であり、シェル１０３の内周面が内側に張り出した環状に形成されている。この場合、内側支持部１０３ａは、ヘッド１０１側の面に径方向に沿って凸状の板状に延びるリブが周方向に放射状に形成されているとともに、ヘッド１０１側とは反対側の面（電子バスドラム１００の前方側の面）がシェル１０３の中心部に向かって凹状に窪む円錐面で形成されている。
【００２４】
この内側支持部１０３ａは、ヘッド１０１側の面に緩衝体１１１が緩衝体支持プレート１０４ａを介して設けられているとともに、叩打センサ１１２がセンサ支持プレート１０４ｂを介して設けられている。この場合、緩衝体支持プレート１０４ａは、金属材または樹脂材を緩衝体１１１が載置可能な大きさの平板リング状に形成して構成されており、内側支持部１０３ａにボルトによって取り付けられている。また、センサ支持プレート１０４ｂは、金属材または樹脂材を叩打センサ１１２が載置可能な大きさの円形板状に形成して構成されており、内側支持部１０３ａに図示しないボルトによって取り付けられている。また、内側支持部１０３ａは、ヘッド１０１側とは反対側の面（電子バスドラム１００の前方側の面）に、中心部の貫通孔の開口部を覆う状態で内周縁部にセンターカバー１０５が設けられている。
【００２５】
センターカバー１０５は、シェル１０３における前記他方の端部側の開口部を隙間を介して塞ぐ部品であり、円形の金属板に複数のボスを起立した状態で設けて構成されている。このセンターカバー１０５は、内側支持部１０３ａの内周縁部に対して離隔した位置にボルトを介して取り付けられている。
【００２６】
ラグ１０６は、フープ１０７を貫通して延びるヘッド連結具１０８が捩じ込まれる部分であり、シェル１０３の外周面上に径方向外側に凸状に張り出した状態で周方向に沿って複数形成されている。本実施形態においては、ラグ１０６は、シェル１０３の外周部に周方向に沿って均等な間隔で６つ形成されている。これらのラグ１０６は、シェル１０３の外周面上において、前記一方の端部側にヘッド連結具１０８が捩じ込まれる雌ネジが開口した向きでシェル１０３における前記他方の端部側に形成されている。
【００２７】
フープ１０７は、ヘッド枠１０２の端面を押してヘッド１０１をシェル１０３の端部で張るための部品であり、金属材を段付きの円筒状に形成して構成されている。このフープ１０７は、一方（図示右側）の端部がヘッド１０１が張られたシェル１０３の端部から軸方向外側に突出するとともに、他方（図示左側）の端部側が径方向外側に張り出してヘッド枠１０２の側面の一部を覆う円筒状に形成されている。また、フープ１０７における前記他方の端部側の外周部には、フープ１０７の外周部上に径方向外側に板状に張り出した状態で取付部１０７ａが形成されている。
【００２８】
取付部１０７ａは、ヘッド連結具１０８が貫通した状態で引っ掛かる部分であり、このヘッド連結具１０８が貫通する貫通孔を有して形成されている。この取付部１０７ａは、前記ラグ１０６に対応してフープ１０７の周方向に沿って複数（本実施形態においては、６つ）形成されている。したがって、フープ１０７は、取付部１０７ａを貫通してラグ１０６に締め付けられるヘッド連結具１０８によってヘッド枠１０２を押し付けてヘッド１０１をシェル１０３の端部上で張った状態で取り付ける。
【００２９】
ヘッド連結具１０８は、フープ１０７をヘッド枠１０２に押さえ付けるための部品であり、金属製の軸体の外周部に雄ネジが形成されたボルトで構成されている。このヘッド連結具１０８は、フープ１０７における６つの取付部１０７ａをそれぞれ貫通した状態でラグ１０６の雌ネジに締め付けられている。これにより、ヘッド１０１は、ヘッド枠１０２がラグ１０６側に押されることによりシェル１０３の端部に押し付けられて平らな膜状に張られた状態となる。これら６つのヘッド連結具１０８のうちの４つのヘッド連結具１０８の外周部には、ダンパー部材１１０がそれぞれ設けられている。
【００３０】
ダンパー部材１１０は、ヘッド１０１をビーター１２５による叩打方向に弾性的に往復変位させるための部品であり、弾性体を円筒状に形成して構成されている。本実施形態においては、ダンパー部材１１０は、ゴム材を中実の円筒状に形成して構成されている。この場合、ダンパー部材１１０の硬さは、ヘッド１０１をビーター１２５による叩打方向に弾性的に変位させる変位のさせ易さおよび変位量に応じて適宜設定される。
【００３１】
本実施形態においては、ダンパー部材１１０は、デュロメータ硬度（温度２３℃±２℃、湿度５０％±５％）でＡ５０のゴム材を用いている。これにより、本実施形態においては、ダンパー部材１１０はヘッド１０１を叩打時に叩打時前の静止位置から最大で３ｍｍ程度変位させることができる。なお、ヘッド１０１を変位させる量は、特に限定されるものではないが、最小で２ｍｍ程度、最大で１０ｍｍ程度が好適である。
【００３２】
このダンパー部材１１０は、貫通孔の内径が同貫通孔を形成する内周面の全面がヘッド連結具１０８の外周面に接して摺動する大きさに形成されている。また、ダンパー部材１１０の外周面には、スタンド嵌合部１１０ａが形成されている。
【００３３】
スタンド嵌合部１１０ａは、スタンド１２０に設けられる連結具貫通部１２１ａに嵌合する部分であり、ダンパー部材１１０の外周部の一部が周方向に凹状に凹んだリング状に形成されている。この場合、スタンド嵌合部１１０ａは、連結具貫通部１２１ａの内径と略同一の外径に形成されて連結具貫通部１２１ａが嵌り込むことでダンパー部材１１０の軸方向への変位を規制している。
【００３４】
このダンパー部材１１０は、６つのヘッド連結具１０８のうちのスタンド１２０に連結された４つのヘッド連結具１０８ごとにスタンド１２０に嵌合した状態でフープ１０７とラグ１０６との間に設けられている。より具体的には、ダンパー部材１１０は、一方の端部がフープ１０７の取付部１０７ａに密着するとともに、スタンド嵌合部１１０ａが連結具貫通部１２１ａに嵌合した状態で設けられている。この場合、ダンパー部材１１０の他方の端部は、スタンド嵌合部１１０ａを貫通してラグ１０６に隙間Ｓを介して対向している。
【００３５】
隙間Ｓは、ダンパー部材１１０とラグ１０６とを接触させないようにするためのものである。この場合、隙間Ｓは、ヘッド１０１の往復変位時、特にヘッド１０１が元の位置に復帰した際にラグ１０６に接触しない隙間量が設定される。具体的には、隙間Ｓは、概ね２ｍｍ〜１０ｍｍ以内が好ましい。本実施形態においては、隙間Ｓは、５ｍｍに設定されている。
【００３６】
緩衝体１１１は、ヘッド１０１を裏面１０１ｂ側から弾性的に押圧して支持する部品であり、樹脂材またはゴム材などの弾性材をヘッド１０１におけるビーター１２５によって叩打される叩打部分の周囲を囲む環状に形成して構成されている。より具体的には、緩衝体１１１は、シェル１０３の内周面に接しない大きさの環状体で構成されており、この環状体の外周部の一部に切欠き部１１１ａが形成されているとともに中央部に逃げ孔１１１ｂが形成されている。この緩衝体１１１は、ヘッド１０１の裏面１０１ｂに接触した状態で緩衝体支持プレート１０４ａに図示しない接着剤または両面テープなどによって取り付けられている。
【００３７】
切欠き部１１１ａは、叩打センサ１１２を配置するための部分であり、叩打センサ１１２に接触しない大きさで切り欠かれている。また、逃げ孔１１１ｂは、ビーター１２５によって叩打されることを避ける部分であり、ヘッド１０１における叩打部分よりも大きな内径の円形の貫通孔によって構成されている。なお、緩衝体１１１は、逃げ孔１１１ｂを形成することなくビーター１２５によって叩打される部分を有して構成されていてもよいものである。
【００３８】
叩打センサ１１２は、ヘッド１０１の振動を検出する検出器であり、ヘッド１０１の振動に応じた電気信号を外部に設けられる図示しない信号処理装置に出力する。本実施形態においては、叩打センサ１１２は、ピエゾ素子によって構成されているが、ヘッド１０１の叩打を検出できればよく、光センサなど他の検出素子を用いることもできる。この叩打センサ１１２は、クッション体１１３を介してヘッド１０１の裏面１０１ｂを押圧した状態でセンサ支持プレート１０４ｂ上に図示しない両面テープまたは接着剤などによって固着されている。
【００３９】
ここで、信号処理装置は、電子バスドラム１００とは別体で設けられるマイクロコンピュータを備えて構成されており、叩打センサ１１２から出力される検出信号に基づいて楽音信号を出力する電子回路、すなわち、音源である。この信号処理装置には、図示しない外部スピーカが接続されている。
【００４０】
クッション体１１３は、ヘッド１０１の振動から叩打センサ１１２を保護しつつ振動を精度良く叩打センサ１１２に伝達するための部品であり、ゴム材または弾性を有する樹脂材を円錐台形状に形成して構成されている。この場合、クッション体１１３は、小径の先端部がヘッド１０１の裏面１０１ｂに押圧されているとともに大径の下面部分に叩打センサ１１２が図示しない両面テープまたは接着剤を介して取り付けられている。また、クッション体１１３は、叩打センサ１１２のヘッド１０１への追従性を向上させるため、緩衝体１１１よりも反発弾性率が高い材料で構成するとよい。
【００４１】
スタンド１２０は、ヘッド１０１を垂直方向に起立させた姿勢で支持するための部品であり、主として、スタンド本体１２１および支持脚１２２をそれぞれ備えている。スタンド本体１２１は、ヘッド連結具１０８を介してヘッド１０１およびシェル１０３をそれぞれ支持する部品であり、電子バスドラム１００を設置する床面上から垂直方向に延びる金属製の板状体で構成されている。このスタンド本体１２１は、上端部がシェル１０３の外周部に沿うように凹状の円弧状に窪んで形成されているとともに、ヘッド連結具１０８に対応する位置に連結具貫通部１２１ａが形成されている。また、スタンド本体１２１の下端部には、叩打機構１２４が設けられている。
【００４２】
連結具貫通部１２１ａは、ヘッド連結具１０８が貫通するとともにダンパー部材１１０が嵌合する部分であり、スタンド本体１２１の板面に対して直交する方向に延びる貫通孔で構成されている。この連結具貫通部１２１ａは、内径がヘッド連結具１０８の外径よりも大きく形成されるとともにダンパー部材１１０のスタンド嵌合部１１０ａの外径と略同一の大きさに形成されている。また、連結具貫通部１２１ａは、本実施形態においては、ヘッド１０１から延びる６つのヘッド連結具１０８のうちの、床面側の４つのヘッド連結具１０８に対応してスタンド本体１２１の上端部にそれぞれ形成されている。なお、連結具貫通部１２１ａは、ヘッド１０１およびシェル１０３をそれぞれ支持できればよいため、スタンド本体１２１に少なくとも１つ以上設けられていればよいが、ヘッド１０１の安定的な支持を考慮すれば、３つ以上設けるとよい。
【００４３】
支持脚１２２は、垂直方向に延びるスタンド本体１２１が倒れることを防ぐための部品であり、電子バスドラム１００の前方の床面から傾斜した姿勢で延びる金属製の棒状体で構成されている。この支持脚１２２は、上端部側がスタンド本体１２１に設けられた脚調整具１２３に貫通した状態で連結されている。脚調整具１２３は、支持脚１２２の軸方向の把持位置および角度を任意に調整することができる器具であり、スタンド本体１２１の左右方向の両端部にそれぞれ設けられている。なお、図４および図５においては、支持脚１２２の一部のみを示し、スタンド１２０の図示を適宜省略している。
【００４４】
叩打機構１２４は、ヘッド１０１を叩打するための機械装置であり、主として、ビーター１２５、揺動支持体１２６およびペダル１２７をそれぞれ備えて構成されている。ビーター１２５は、ヘッド１０１の打面１０１ａを叩打する部品であり、樹脂製のブロック体からなる心材（図示せず）の外表面をフェルトで覆った円柱体で構成されている。このビーター１２５は、側面部分から棒状に延びるアーム１２５ａを介して揺動支持体１２６によって支持されている。なお、ビーター１２５は、樹脂材、金属材、布材および木材をそれぞれ単体でまたはこれらの材料を適宜組み合わせて構成されるものであり、本実施形態に限定されるものではない。
【００４５】
揺動支持体１２６は、ビーター１２５をヘッド１０１に対して叩打または離隔させる方向に揺動可能に支持するための部品であり、アーム１２５ａを保持して水平方向に延びる揺動軸１２６ａと、この揺動軸１２６ａの両端部をそれぞれ回転自在に支持する支持柱１２６ｂとを備えて構成されている。
【００４６】
ペダル１２７は、演奏者の足による踏み込み操作によってビーター１２５を揺動させるための部品であり、演奏者の足を載せることができる大きさの金属製の板状体で構成されている。このペダル１２７は、一方の端部が電子バスドラム１００が設置される設置面上に配置されるベース板１２７ａに回転自在に支持されるとともに他方の端部がベルト１２７ｂを介してビーター１２５のアーム１２５ａと揺動軸１２６ａとの取付部分に連結されている。
【００４７】
（電子バスドラム１００の作動）
次に、このように構成した電子バスドラム１００の作動について説明する。まず、演奏者は、電子バスドラム１００、図示しない信号処理装置および外部スピーカをそれぞれ用意した後、電子バスドラム１００と信号処理装置とを電気的に接続するとともに、この信号処理装置と外部スピーカとを電気的に接続する。次いで、演奏者は、信号処理装置を操作して電源をＯＮするとともに演奏を行なえる演奏モードに設定する。これにより、電子バスドラム１００は、信号処理装置を介してスピーカから楽音を出力可能な状態となる。
【００４８】
次に、演奏者は、電子バスドラム１００の演奏を行う。具体的には、演奏者は、叩打機構１２４におけるペダル１２７を操作することによりビーター１２５をヘッド１０１の打面１０１ａに衝突させて叩打する。この場合、ヘッド１０１は、図６に示すように、ヘッド１０１の全体がヘッド枠１０２、フープ１０７およびヘッド連結具１０８を介してダンパー部材１１０によってスタンド１２０に対して弾性的に支持されているため、ビーター１２５による押圧方向の前側（電子バスドラム１００の前面側）に向かって弾性的に変位する。また、この場合、隙間Ｓは、ヘッド１０１の変位量だけ増加する。
【００４９】
すなわち、電子バスドラム１００は、ヘッド１０１およびこのヘッド１０１が取り付けられたシェル１０３がスタンド１２０に対してフローティング状態で支持されているため、ヘッド１０１をビーター１２５で叩打した際の叩打感が軟らかくすることができるとともに叩打時の反力を抑えてアコースティックバスドラムに近い叩打感を与えることができる。また、電子バスドラム１００は、ダンパー部材１１０の弾性によって叩打時の衝撃による振動を速やかに減衰させることができる。なお、本実施形態においては、ヘッド１０１は、ヘッド枠１０２、フープ１０７およびヘッド連結具１０８を介してシェル１０３に連結されているため、スタンド１２０に対してこれらの部品と一体的に変位する。
【００５０】
このようなヘッド１０１の叩打時においては、電子バスドラム１００は、ヘッド１０１に生じた振動がクッション体１１３を介して叩打センサ１１２に伝達される。これにより、叩打センサ１１２は、ヘッド１０１の振動に応じた電気信号を信号処理装置に出力する。これにより、信号処理装置は、叩打センサ１１２から出力される検出信号に基づいて楽音を表す楽音信号を生成するとともに、この楽音信号を外部スピーカに出力する。この結果、電子バスドラム１００は、演奏者の演奏操作に応じた楽音を外部スピーカから出力することができる。
【００５１】
また、演奏者が叩打機構１２４におけるペダル１２７を操作することによりビーター１２５をヘッド１０１の打面１０１ａから離隔させた場合には、ヘッド１０１はダンパー部材１１０の弾性復元力によってビーター１２５側に変位して元の位置に復帰する。すなわち、電子バスドラム１００は、ビーター１２５による次のヘッド１０１の叩打に備えることができる。この場合においても、ヘッド１０１は、スタンド１２０に対してヘッド枠１０２、フープ１０７、ヘッド連結具１０８およびシェル１０３と一体的に変位する。
【００５２】
上記作動説明からも理解できるように、上記実施形態によれば、電子バスドラム１００は、ヘッド１０１とスタンド１２０との間にヘッド１０１全体をビーター１２５による叩打方向に弾性的に変位可能に支持するダンパー部材１１０を備えているため、ヘッド１０１がビーター１２５の叩打によって叩打方向の前方に向かって変位することで叩打感の硬さおよび演奏者への反力を抑えるとともに叩打時の衝撃による振動を早期に減衰させることができ、アコースティックバスドラムの叩打感および演奏感に近づけることができる。
【００５３】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００５４】
例えば、上記実施形態においては、ダンパー部材１１０は、ゴム材で構成した。しかし、ダンパー部材１１０は、ヘッド１０１とスタンド１２０との間に直接的または間接的に設けられてヘッド１０１の全体をビーター１２５の叩打方向の前側に変位するように構成されていればよい。したがって、ダンパー部材１１０は、ゴム材以外の弾性体、例えば、発泡樹脂材を含む各種エラストマ材のほか、板バネまたはコイルスプリングなどのばね、更にはオイルまたは空気などの流体を用いたダンパーまたはシリンダなどで構成することもできる。
【００５５】
また、上記実施形態においては、ダンパー部材１１０は、連結具貫通部１２１ａを貫通した状態で取り付けられている。しかし、ダンパー部材１１０は、必ずしも連結具貫通部１２１ａを貫通した状態で取り付けられる必要はない。例えば、ダンパー部材１１０は、図７に示すように、スタンド本体１２１における連結具貫通部１２１ａの周囲に突き当てた状態で設けることもできる。すなわち、ダンパー部材１１０は、スタンド嵌合部１１０ａを省略して構成することもできる。
【００５６】
また、上記実施形態においては、ダンパー部材１１０は、一方の端部がフープ１０７における取付部１０７ａに突き当たるとともに他方の端部が連結具貫通部１２１ａを貫通して隙間Ｓを介してラグ１０６に対向するように配置した。これにより、電子バスドラム１００は、ダンパー部材１１０を連結具貫通部１２１ａに貫通させて保持させることでダンパー部材１１０およびヘッド連結具１０８の組み付けの作業性を良好にすることができるとともに、ヘッド連結具１０８をシェル１０３に連結する際にダンパー部材１１０を圧縮変形させて弾性力の変化および損傷させることを防止することができる。しかし、ダンパー部材１１０は、図８に示すように、他方の端部がラグ１０６に突き当たるように配置することもできる。
【００５７】
また、ダンパー部材１１０は、例えば、図９に示すように、スタンド嵌合部１１０ａを省略して一定の外径に形成して連結具貫通部１２１ａに圧入することで連結具貫通部１２１ａに固定することもできる。この場合、ダンパー部材１１０は、連結具貫通部１２１ａに圧入される部分の外径を他の部分の外径よりも太く形成して構成してもよい。
【００５８】
また、上記実施形態においては、ダンパー部材１１０は、一方の端部から他方の端部に亘って中実の筒状に形成されて内周面の全面がヘッド連結具１０８の外周面に接触するように構成されている。これにより、電子バスドラム１００は、ヘッド連結具１０８を介してヘッド１０１を安定的に支持することができるとともにダンパー部材１１０が種々の形状に変形すること規制して安定的な弾性の発揮および耐久性を向上させることができる。しかし、ダンパー部材１１０は、中実以外の形状に形成することもできる。
【００５９】
例えば、ダンパー部材１１０は、図１０に示すように、円筒状に形成されるとともに、内周部の中央部の内径が径方向外側に拡がって形成されて同中央部分がヘッド連結具１０８の外周面に接触しないように構成することができる。これによれば、ダンパー部材１１０は、ヘッド１０１に対する叩打力が小さい場合でもヘッド１０１を変位させることができる。
【００６０】
また、例えば、ダンパー部材１１０は、図１１に示すように、円筒状に形成されるとともに、内周部の一部の内径を径方向外側に広げて内周面の一部がヘッド連結具１０８の外周面に接触するとともに他の一部がヘッド連結具１０８の外周面に接触しないように構成することもできる。この場合、ダンパー部材１１０は、一方の端部から他方の端部に亘って肉厚を一定に形成してもよいし（図１１参照）、一方の端部から他方の端部に亘って肉厚が変化するように形成してもよい。これらによれば、ダンパー部材１１０は、ヘッド１０１を安定的に支持しつつヘッド１０１に対する叩打力が小さい場合でもヘッド１０１を変位させることができる。
【００６１】
また、上記実施形態においては、ダンパー部材１１０は、ヘッド連結具１０８の外周部に配置した。しかし、ダンパー部材１１０は、ヘッド１０１とスタンド１２０との間に設けられてヘッド１０１の全体をビーター１２５の叩打方向の前側に変位可能に支持できる位置に配置されていればよいため、ヘッド連結具１０８以外の場所に設けることもできる。したがって、ダンパー部材１１０は、例えば、フープ１０７およびスタンド本体１２１（またはシェル１０３）に互い対向し合う面を設けておき、これらの互いに対向する面間に配置して設けることもできる。
【００６２】
また、上記実施形態においては、ヘッド１０１は、ヘッド枠１０２およびフープ１０７を介してヘッド連結具１０８によってラグ１０６に連結した。しかし、ヘッド１０１は、直接的または間接的にスタンド１２０に連結されて同スタンド１２０に対してビーター１２５の叩打方向に弾性的に往復変位可能に配置されていればよい。したがって、ヘッド１０１は、例えば、ヘッド枠１０２とフープ１０７とが一体的に形成されてヘッド１０１が直接フープ１０７に保持されるように構成することができる。この場合、ダンパー部材１１０は、上記実施形態と同様に、ヘッド連結具１０８の外周部に設けることができる。
【００６３】
また、ヘッド１０１は、例えば、フープ１０７などの他の部品を介してボルトまたはリベットなどからなるヘッド連結具１０８によってスタンド１２０に取り付けられていてもよい。この場合、ダンパー部材１１０は、上記実施形態と同様に、ボルトまたはリベットなどからなるヘッド連結具１０８の外周部に設けることでヘッド１０１をスタンド１２０に対して弾性的に変位させることができる。また、ダンパー部材１１０は、ヘッド連結具１０８以外の場所、例えば、フープ１０７およびスタンド本体１２１に互い対向し合う面を設けておき、これらの互いに対向する面間に配置することもできる。
【００６４】
また、上記実施形態においては、連結具貫通部１２１ａは、貫通孔で構成した。しかし、連結具貫通部１２１ａは、ヘッド連結具１０８が貫通するように構成されていればよい。したがって、連結具貫通部１２１ａは、スタンド本体１２１の一部を切り欠いた切欠き部として構成することもできる。
【００６５】
また、上記実施形態においては、電子バスドラム１００は、ヘッド１０１と叩打センサ１１２との間にクッション体１１３を配置して構成した。これにより、電子バスドラム１００は、スタンド１２０に対してヘッド１０１が変位する際における振動が叩打センサ１１２に伝搬することを抑えることができ、ヘッド１０１の変位時における叩打センサ１１２によるヘッド１０１の叩打の検出精度の低下を抑えて叩打の検出精度を向上させることができる。しかし、電子バスドラム１００は、ヘッド１０１の打面１０１ａまたは裏面１０１ｂに叩打センサ１１２を直接接触させて構成、すなわち、クッション体１１３を省略して構成することもできる。また、電子バスドラム１００は、クッション体１１３を設ける場合においても、クッション体１１３を円錐台形状以外の形状、例えば、円柱状、板状またはシート状に形成することもできる。
【符号の説明】
【００６６】
Ｓ…隙間、
１００…電子バスドラム、１０１…ヘッド、１０１ａ…打面、１０１ｂ…裏面、１０２…ヘッド枠、１０３…シェル、１０３ａ…内側支持部、１０４ａ…緩衝体支持プレート、１０４ｂ…センサ支持プレート、１０５…センターカバー、１０６…ラグ、１０７…フープ、１０７ａ…取付部、１０８…ヘッド連結具、
１１０…ダンパー部材、１１０ａ…スタンド嵌合部、１１１…緩衝体、１１１ａ…切欠き部、１１１ｂ…逃げ孔、１１２…叩打センサ、１１３…クッション体、
１２０…スタンド、１２１…スタンド本体、１２１ａ…連結具貫通部、１２２…支持脚、１２３…脚調整具、１２４…叩打機構、１２５…ビーター、１２５ａ…アーム、１２６…揺動支持体、１２６ａ…揺動軸、１２６ｂ…支持柱、１２７…ペダル、１２７ａ…ベース板、１２７ｂ…ベルト。
【図１】
2019128372.tif 000003
【図２】
2019128372.tif 000004
【図３】
2019128372.tif 000005
【図４】
2019128372.tif 000006
【図５】
2019128372.tif 000007
【図６】
2019128372.tif 000008
【図７】
2019128372.tif 000009
【図８】
2019128372.tif 000010
【図９】
2019128372.tif 000011
【図１０】
2019128372.tif 000012
【図１１】
2019128372.tif 000013